(57)【特許請求の範囲】
【請求項１】
電子機器に形成された電池室に着脱可能に収納される電池ユニットであって、
起電力を発生し、充電可能な電池セルと、
前記電池ユニットの情報を前記電子機器と通信する通信端子と前記電池セルに接続された正極端子および負極端子が形成された基板と、を有し、
前記電池室に収納された状態において前記電子機器の接片と対向する対向面に、前記通信端子、前記正極端子、および前記負極端子が並んで配置され、前記対向面における前記通信端子、前記正極端子、および前記負極端子が並ぶ方向と直交する方向において、前記正極端子および前記負極端子は前記通信端子よりも端子長さが長く、
前記正極端子、前記負極端子、および前記通信端子は、それぞれの第１端から前記基板の外形までの距離が略等しくなるように配置されていることを特徴とする電池ユニット。
【請求項２】
前記対向面は、略直方体形状であり、
前記正極端子、前記負極端子、および前記通信端子は、前記対向面の長手方向に並んで配置されていることを特徴とする請求項１に記載の電池ユニット。
【請求項３】
前記正極端子および負極端子の端子長さは、略等しいことを特徴とする請求項１または２に記載の電池ユニット。
【請求項４】
前記通信端子は、前記正極端子と前記負極端子との間に挟まれるように配置されていることを特徴とする請求項１から３のいずれか１項に記載の電池ユニット。
【請求項５】
前記通信端子は、前記電池ユニットに設定された個体識別情報を検出する認証端子と、前記電池ユニットの内部温度を検出する温度検出端子であることを特徴とする請求項１から４のいずれか１項に記載の電池ユニット。
【請求項６】
前記正極端子、前記温度検出端子、前記認証端子、前記負極端子の順に配置されることを特徴とする請求項５に記載の電池ユニット。
【請求項７】
前記電池セルおよび前記基板を内部に保持するとともに、前記通信端子を露出させる通信端子開口と、前記正極端子を露出させる正極端子開口、および前記負極端子を露出させる負極端子開口が形成された電池ケースを更に有し、前記通信端子、前記正極端子、および前記負極端子が並ぶ方向に、前記通信端子開口、前記正極端子開口、および前記負極端子開口が並んで配置され、前記対向面における前記通信端子、前記正極端子、および前記負極端子が並ぶ方向と直交する方向において、前記正極端子開口および前記負極端子開口は前記通信端子開口よりも開口長さが長いことを特徴とする請求項１から６のいずれか１項に記載の電池ユニット。
【請求項８】
前記通信端子開口、前記正極端子開口、および前記負極端子開口は、それぞれの第１端から前記電池ユニットの外形までの距離が略等しくなるように形成されていることを特徴とする請求項７に記載の電池ユニット。
【請求項９】
前記基板は、前記対向面における長手方向に一方側に前記通信端子、前記正極端子、および前記負極端子が配置され、前記対向面における長手方向に他方側に凹部を有することを特徴とする請求項１から８のいずれか１項に記載の電池ユニット。
【請求項１０】
請求項１から９のいずれか１項に記載の電池ユニットを収納可能な前記電池室を有することを特徴とする電子機器。
【請求項１１】
前記電子機器は、前記電池ユニットが前記電池室に収納された状態において、前記通信端子に接触する通信端子接片、前記正極端子に接触する正極接片、および前記負極端子に接触する負極接片を有し、
前記正極接片および前記負極接片は前記通信端子接片よりも前記電池ユニット側への突出量が大きいことを特徴とする請求項１０に記載の電子機器。
【発明の詳細な説明】
【技術分野】
【０００１】
本発明は、電池ユニットおよび電子機器に関する。
【背景技術】
【０００２】
二次電池を使用した電池ユニットは、カメラ等の電子機器本体の電源として広く利用されている。特許文献１の電子機器では、電子機器本体に設けられた板バネ状接片が電池ユニットにより一定のストローク分押し込まれ、その反力によって電池ユニットの端子群に接触することで、電池ユニットと電子機器本体が電気的に接続されている。
【先行技術文献】
【特許文献】
【０００３】
【特許文献１】特開２００９−２１１８９５号公報
【発明の概要】
【発明が解決しようとする課題】
【０００４】
しかしながら、特許文献１の電子機器では、電子機器の落下時等の衝撃により電池ユニットが板バネ状接片から離れる方向へ瞬間的に動いた場合、板バネ状接片のストロークを瞬間的に超えることで、電気的な切断（瞬断）を招くことがある。
【０００５】
電気的な切断（瞬断）を防ぎ、電気的接続の信頼性を高めるためには、板バネ状接片のストロークを長くすることが有効である。しかしながら、板バネ状接片が電池ユニットによって押し込まれる際、接触点が電池ユニットの端子群の長手方向へ摺動するため、ストロークの長い板バネ状接片に対応して電池ユニットの端子群も長くする必要がある。その場合、電池ユニットの端子群は電池ユニットの内部基板に設けられているので内部基板の電子部品の実装面積および電子回路の配線面積を確保するために、電池ユニット自体を大型化する必要がある。
【０００６】
このような課題を鑑みて、本発明は、電池ユニットの大型化を抑制するとともに、電池ユニットと電子機器との電気的接続の信頼性を確保可能な電池ユニットおよび電子機器システムを提供することを目的とする。
【課題を解決するための手段】
【０００７】
本発明の一側面としての電池ユニットは、電子機器に形成された電池室に着脱可能に収納される電池ユニットであって、起電力を発生し、充電可能な電池セルと、前記電池ユニットの情報を前記電子機器と通信する通信端子と前記電池セルに接続された正極端子および負極端子が形成された基板と、を有し、前記電池室に収納された状態において前記電子機器の接片と対向する対向面に、前記通信端子、前記正極端子、および前記負極端子が並んで配置され、前記対向面における前記通信端子、前記正極端子、および前記負極端子が並ぶ方向と直交する方向において、前記正極端子および前記負極端子は前記通信端子よりも端子長さが長く、前記正極端子、前記負極端子、および前記通信端子は、それぞれの第１端から前記基板の外形までの距離が略等しくなるように配置されていることを特徴とする。
【発明の効果】
【０００８】
本発明によれば、電池ユニットの大型化を抑制するとともに、電池ユニットと電子機器との電気的接続の信頼性を確保可能な電池ユニットおよび電子機器システムを提供することができる。
【図面の簡単な説明】
【０００９】
【図１】本発明の実施形態に係る電池ユニットの構成図である。
【図２】回路基板の上面図である。
【図３】カメラ本体の斜視図である。
【図４】カメラ本体の展開斜視図である。
【図５】カメラ本体の本体ユニットを構成する本体部の構成図である。
【図６】本体部の分解斜視図である。
【図７】図５（ａ）のＡ−Ａ線断面図である。
【図８】カメラのコネクタの構成図である。
【図９】電池ユニットのカメラへの挿入状態を示す図である。
【発明を実施するための形態】
【００１０】
以下、本発明の実施例について、図面を参照しながら詳細に説明する。各図において、同一の部材については同一の参照番号を付し、重複する説明は省略する。
（電池ユニットについて）
図１は、本発明の実施形態に係る電池ユニット１００の構成図である。（ａ）は正面斜視図、（ｂ）は背面斜視図、（ｃ）は上面図、（ｄ）は分解斜視図である。電池ユニット１００は、図３に示される電子機器の一例であるデジタル一眼レフカメラ本体（以下、カメラ本体という）２００に対応した専用の電池ユニットである。電池ユニット１００は、図１（ａ）に示す＋Ｙ方向（上向き）にカメラ本体２００に挿入され、図１（ａ）に示す−Ｙ方向（下向き）にカメラ本体２００から取り外される。すなわち、Ｙ方向は、電池ユニット１００がカメラ本体２００に対しての着脱方向である。
【００１１】
電池ケース１０１は、第１のケースである下ケース１０１ａと第２のケースである上ケース１０１ｂから構成されている。境界部１０１ｃは、下ケース１０１ａと上ケース１０１ｂとの境界であり、Ｙ方向上向きから見るとＸ方向に平行である。電池ケース１０１は、着脱方向に垂直な平面である上面１０１ｄおよび下面１０１ｅ、上面１０１ｄおよび下面１０１ｅと垂直な平面である側面１０１ｆ，１０１ｇ，１０１ｈ，１０１ｉを有し、外観形状が略直方体である。電池ケース１０１の上面１０１ｄ、下面１０１ｅ、側面１０１ｆ，１０１ｇは、下ケース１０１ａと上ケース１０１ｂに跨っている。電池ケース１０１の下ケース１０１ａは、上面短手方向（Ｚ方向）の長さが上ケース１０１ｂよりも長く構成されている。
【００１２】
電池ケース１０１の上面１０１ｄの下ケース１０１ａには、電池内部基板である回路基板１０６に形成された複数の端子と対向する位置に、端子開口１０２ａ，１０２ｂ，１０２ｃ，１０２ｄが形成されている。なお、個々の端子開口を区別する必要がない場合には、端子開口群１０２と総称する。
【００１３】
電池ユニット１００は、カメラ本体２００専用の電池ユニットであり、他の電池ユニットとの互換性がないため、カメラ本体２００への他の電池ユニットの誤挿入を防止する必要がある。本実施例では、誤挿入防止用の略直方体の凹形状（凹部）１０３が、電池ユニット１００の上面１０１ｄと２つの側面１０１ｇ，１０１ｈに渡って形成されている。凹形状１０３は、上面短手方向（Ｚ方向）の長さが上ケース１０１ｂより長い下ケース１０１ａに形成されているため、上ケース１０１ｂの上面短手方向（Ｚ方向）の長さの制約を受けずに形成可能である。本実施例においては、凹形状１０３の上面短手方向（Ｚ方向）の長さＬ３は、上ケース１０１ｂの上面短手方向（Ｚ方向）の長さと同程度であるが、上ケース１０１ｂの上面短手方向（Ｚ方向）の長さを超えてもよい。また、凹形状１０３は、電池ユニット１００の上面長手方向（Ｘ方向）の中心軸に対して端子開口群１０２とは反対側の下ケース１０１ａの角部に形成されているため、端子開口群１０２の位置による制約を受けずに形成可能である。
【００１４】
詳細は後述するが、カメラ本体２００の電池室６０２には、凹形状１０３に対応する凸形状６０２ａが形成されている。これにより、凹形状１０３が形成されていない他の電池ユニットの挿入を防止している。また、電池ユニット１００の表裏および上下方向を間違えた挿入も防止可能である。カメラ本体２００への他の電池ユニットの誤挿入防止としてより機能するためには、凹形状１０３の上面短手方向（Ｚ方向）の長さＬ３および上面長手方向（Ｘ方向）の長さＬ４を可能な限り長くすることが望ましい。長さＬ３および長さＬ４を長くするほど、カメラ本体２００の凸形状６０２ａを大きくすることができ、電池ユニット１００よりも外形形状の小さい電池ユニットの誤挿入を防止することが可能であるからである。具体的には、電池ユニット１００の上面短手方向（Ｚ方向）において長さＬ１からＬ５まで、上面長手方向（Ｘ方向）において長さＬ２からＬ６までの大きさの電池ユニットの誤挿入を防止することが可能である。
【００１５】
係止溝１０４は、電池ユニット１００を充電する際、充電器から突出している係止爪によって保持されることで、電池ユニット１００が充電器から脱落しないようにする。
【００１６】
電池ケース１０１には、２つの電池セル１０５、回路基板１０６、スペーサー１０７が一体となった形で収納されている。２つの電池セル１０５は、略直方体形状であり、図１（ｄ）に示すように長手方向がＹ方向に平行に、Ｚ方向に並列に配置されている。電池セル１０５は、起電力を発生し、充電可能である。電池セル１０５から伸びたリード１０５ａは、回路基板１０６の所定箇所に接続されている。スペーサー１０７は、樹脂材料で形成され、２つの電池セル１０５と回路基板１０６を保持している。なお、電池セル１０５と回路基板１０６の接続構成、およびスペーサー１０７による保持構成については、本実施例の構成に特に規定されるものではない。
【００１７】
図２を用いて、回路基板１０６について説明する。図２は、回路基板１０６の上面図である。回路基板１０６には、複数の端子で形成された端子群１０８が形成されている。端子群１０８は、後述するように、電池ユニット１００がカメラ本体２００に装着された際に、カメラ本体コネクタ６０６の端子接片群６０７と接触し、電気的に接続される。正極端子１０８ａは、電池セル１０５の正極リードと、回路基板１０６を介して接続される。負極端子１０８ｂは、電池セル１０５の負極リードと、回路基板１０６を介して接続される。認証端子１０８ｃは、カメラ本体２００と、電池ユニット１００に設定された個体識別情報の通信を行う。温度検出端子１０８ｄは、カメラ本体２００や充電器と、電池ユニット１００の内部温度情報の通信を行う。温度検出端子１０８ｄは、電池ユニット１００が充電器によって充電される際、電池ユニット１００の内部温度情報を充電器に伝達する。伝達された情報を用いて充電制御を行うことで、異常充電による不具合を防止する。温度検出端子１０８ｄは、カメラ本体２００において、電池ユニット１００が装着されたのか、もしくは、カメラ本体２００に対応した外部電源装置（例えば、ＡＣ電源用装置）が装着されたのか、を判定するために使用することもできる。
【００１８】
回路基板１０６に形成された複数の端子は、電池ユニット１００の上面１０１ｄの長手方向（Ｘ方向）の中心軸から長手方向（Ｘ方向）に、正極端子１０８ａ，温度検出端子１０８ｄ，認証端子１０８ｃ，負極端子１０８ｂの順に等間隔で配置されている。正極端子１０８ａと負極端子１０８ｂを両側に離して配置することにより、正極端子１０８ａと負極端子１０８ｂが短絡して不具合が発生する可能性を低減している。また、正極端子１０８ａと認証端子１０８ｃの間に温度検出端子１０８ｄを配置して、正極端子１０８ａと認証端子１０８ｃを離して配置している。そうすることで、正極端子１０８ａと認証端子１０８ｃが短絡して不具合（例えば、認証ＩＣの故障等）が発生する可能性を低減している。
【００１９】
本実施例では、電池ユニット１００の上面１０１ｄの短手方向（Ｚ方向）において、正極端子１０８ａおよび負極端子１０８ｂの端子長さは、認証端子１０８ｃおよび温度検出端子１０８ｄの端子長さよりも長い。さらに、正極端子１０８ａと負極端子１０８ｂ、認証端子１０８ｃと温度検出端子１０８ｄの長さはそれぞれ略等しい長さである。また、端子群１０８は、回路基板１０６の外形から回路基板１０６の外形に近接する各端子の一端までの距離が略等距離となるように形成されている。
【００２０】
回路基板１０６の表面（電池ケース側）の領域Ａおよび裏面（電池セル側）には、ＩＣ、抵抗、コンデンサ等の素子が実装され、電池回路が構成されている。前述したように、回路基板１０６の外形に近接する端子群１０８の一端を揃え、正極端子１０８ａおよび負極端子１０８ｂの端子のみを長くし、認証端子１０８ｃと温度検出端子１０８ｄの端子を短くしている。そうすることで、回路基板１０６の領域Ａの面積を確保（特に領域Ａの斜線部）でき、回路基板１０６の大型化に伴う電池ユニット１００の大型化を抑制している。切り欠き形状１０６ａは、電池ケース１０１の下ケース１０１ａに形成された凹形状１０３と干渉しないように、回路基板１０６に形成されている。
【００２１】
回路基板１０６の端子群１０８は、電池ケース１０１の下ケース１０１ａの端子開口群１０２を通じて外部に露出している。正極端子１０８ａは端子開口（正極端子開口）１０２ａに対向し、負極端子１０８ｂは端子開口（負極端子開口）に対向し、認証端子１０８ｃは端子開口（通信端子開口）１０２ｃに対向し、温度検出端子１０８ｄは端子開口（通信端子開口）１０２ｄに対向する。上面１０１ｄの短手方向（Ｚ方向）において、端子開口１０２ａ，１０２ｂの開口長さは、端子開口１０２ｃ，１０２ｄの開口長さよりも長い。さらに、端子開口１０２ａと端子開口１０２ｂ、端子開口１０２ｃと端子開口１０２ｄの開口長さはそれぞれ略等しい。また、各端子開口は、電池ユニット１００の外形から電池ユニット１００の外形に近接するそれぞれの端子開口の一端までの距離が略等距離となるように形成されている。端子開口群１０２の形状を回路基板１０６の端子群１０８の形状に対応した形状とすることで、回路基板１０６の領域Ａの面積を確保（特に領域Ａの斜線部）でき、回路基板１０６の大型化に伴う電池ユニット１００の大型化を抑制している。電池ケース１０１の側面１０１ｈには、端子開口１０２ａ，１０２ｂに対応した位置に、それぞれプラスマークとマイナスマークが表示されている。
（カメラ本体について）
図３（ａ），（ｂ）は、それぞれカメラ本体２００の正面および背面斜視図である。カメラ本体２００は、ＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子により被写体像を光電変換して画像情報を生成する。そして、任意のメモリ等の電子的記録媒体に画像情報を記録する。
【００２２】
カメラ本体２００には、撮影時に撮影者がカメラを安定して握るためのグリップ部２００ａが形成されている。マウント部２０１は、着脱可能な撮影レンズ（不図示）をカメラ本体２００に固定させる。マウント接点２０２は、カメラ本体２００と撮影レンズの間で制御信号、状態信号、データ信号などを伝達するとともに、撮影レンズに電力を供給する機能を有する。レンズロック解除ボタン２０３は、押し込むことで、撮影レンズを取り外すことが可能である。ミラーボックス２０４は、カメラ筐体内に配置され、撮影レンズを通過した撮影光束が導かれる。ミラーボックス２０４の内部には、クイックリターンミラー２０６が設けられている。クイックリターンミラー２０６は、撮影光束をファインダに導くために撮影光軸に対して略４５°の角度に保持される状態と、撮像素子に導くために撮影光束から退避した位置に保持される状態の間を移動する。
【００２３】
カメラ本体２００の上部でグリップ部２００ａ側には、撮影を指示するレリーズボタン２０７、撮影時の動作モードに応じてシャッタスピードやレンズ絞り値等を設定するメインダイヤル２０８、撮影に関する設定を行う複数の設定ボタン２０９が配置されている。これらの部材による操作結果の一部は、表示パネル２１０に表示される。レリーズボタン２０７を１段目まで軽く押下し、第１スイッチがオンの状態を「半押し」といい（ＳＷ１）、この状態で測光およびＡＦ（自動焦点調節）が行われる。半押しからさらに二段目まで押下し、第２スイッチがオンの状態を「全押し」といい（ＳＷ２）、この状態で撮影が行われる。カメラ本体２００の上部中央には、カメラ本体２００に対してポップアップするストロボユニット２１１、外部ストロボ取付け用の装着部２１２が配置されている。カメラ本体２００の上部でグリップ部２００ａと反対側には、撮影モード設定ダイヤル２１３が配置されている。
【００２４】
カメラ本体２００の背面側の上方にはファインダ接眼窓２１４が設けられ、中央付近には撮影画像が表示可能な液晶モニタ２１５が設けられている。液晶モニタ２１５の横に配置されたサブダイヤル２１６は、メインダイヤル２０８による設定を補助する役割を担う。サブダイヤル２１６は、液晶モニタ２１５に表示される撮影画像の選択にも用いられる。メインスイッチ２１７は、カメラ本体２００の動作を起動もしくは停止させる。メニューボタン２１８は、撮影条件などの様々な設定を行う。カメラ本体２００の下面に設けられた電池蓋２１９は、後述する電池室６０２の開口に対して、開閉自在に動作可能であり、電池ユニット１００をカメラ本体２００に着脱する際に操作される。
【００２５】
図４は、カメラ本体２００の内部構成を示す展開斜視図である。カメラ本体２００は、前カバーユニット３００、上カバーユニット４００、後カバーユニット５００、本体ユニット６００で構成される。前カバーユニット３００には、レンズロック解除ボタン２０３、電池蓋２１９が配置されている。上カバーユニット４００には、レリーズボタン２０７、メインダイヤル２０８、設定ボタン２０９、表示パネル２１０、ストロボユニット２１１、撮影モード設定ダイヤル２１３、メインスイッチ２１７等が配置されている。後カバーユニット５００には、液晶モニタ２１５、サブダイヤル２１６、メニューボタン２１８が配置されている。本体ユニット６００は、マウント部２０１、マウント接点２０２、クイックリターンミラー２０６が配置されたミラーボックス２０４、ミラーボックス２０４の後方にビスによって取り付けられた本体部６０１が配置されている。
【００２６】
図５（ａ），（ｂ），（ｃ）はそれぞれ、カメラ本体２００の本体ユニット６００を構成する本体部６０１の正面斜視図、背面斜視図、下面図である。図６は本体部６０１の分解斜視図、図７は図５（ａ）のＡ−Ａ線断面図である。また、図８（ａ），（ｂ）はそれぞれ、フレキシブルプリント基板６０５に実装されたカメラ本体コネクタ６０６の正面図および側面図である。
【００２７】
本体部６０１のカメラ本体２００のグリップ部２００ａ側には、電池ユニット１００を着脱可能に収納する電池室６０２が形成されている。電池室６０２の下方には、電池ユニット１００を着脱するための開口が形成されている。また、電池室６０２の上面内部には、電池ユニット１００の凹形状１０３に対応する凸形状６０２ａが形成されている。電池排出バネ６０３は、電池室６０２の上方に設けられ、電池ユニット１００を排出するために−Ｙ方向（下向き）へ電池ユニット１００に付勢力を与える。電池ロックレバー６０４は、電池室６０２の側面に固定され、係止部６０４ａで電池ユニット１００を保持する。フレキシブルプリント基板６０５には、電池ユニット１００の端子群１０８と電気的接続を行うためのカメラ本体コネクタ６０６が実装されている。電池室６０２の背面側から挿入されて電池室６０２の上部に設けられたカメラ本体コネクタ６０６は、図６に示されるフレキシブルプリント基板６０５の斜線部６０５ａに実装されている。また、フレキシブルプリント基板６０５には、電池ユニット１００とは異なる外部電源装置等と電気的接続を行うための接点部６０５ｂが設けられている。接点部６０５ｂは、電池室６０２の開口部６０２ｂから露出している。
【００２８】
図８（ａ），（ｂ）に示すように、カメラ本体コネクタ６０６には、電池室６０２の内部に突出する金属製の複数の板バネ状端子接片で形成された端子接片群６０７が形成されている。正極接片６０７ａは、電池ユニット１００の正極端子１０８ａおよび端子開口１０２ａに対応する位置に設けられている。負極接片６０７ｂは、電池ユニット１００の負極端子１０８ｂおよび端子開口１０２ｂに対応する位置に設けられている。認証接片６０７ｃは、電池ユニット１００の認証端子１０８ｃおよび端子開口１０２ｃに対応する位置に設けられている。温度検出接片６０７ｄは、電池ユニット１００の温度検出端子１０８ｄおよび端子開口１０２ｄに対応する位置に設けられている。正極接片６０７ａおよび負極接片６０７ｂのカメラ本体コネクタ６０６からの突出量は、認証接片６０７ｃおよび温度検出接片６０７ｄのカメラ本体コネクタ６０６からの突出量よりも大きい。また、正極接片６０７ａと負極接片６０７ｂ、認証接片６０７ｃと温度検出接片６０７ｄのカメラ本体コネクタ６０６からの突出量はそれぞれ略等しい。
【００２９】
押え板６０８は、電池室６０２に固定され、電池室６０２の上面に電池排出バネ６０３およびフレキシブルプリント基板６０５を固定する。また、押さえ板６０８は、保持部６０８ａでカメラ本体コネクタ６０６が実装されたフレキシブルプリント基板６０５を電池室６０２に対して保持している。
【００３０】
次に、電池ユニット１００をカメラ本体２００に装着する際の動作を説明する。電池ユニット１００をカメラ本体２００に装着する際には、電池蓋２１９を操作して電池室６０２を開口させ、カメラ本体２００の下方から電池ユニット１００を電池室６０２に挿入する。
【００３１】
図９は、電池ユニット１００の電池室６０２への挿入状態を示す図である。
【００３２】
まず、図９（ａ）に示した位置で、電池ユニット１００は、電池排出バネ６０３に当接する。この状態から電池ユニット１００を電池排出バネ６０３のバネ力に抗してさらに挿入する。
【００３３】
次に、図９（ｂ）に示した位置で、電池ユニット１００の正極端子１０８ａおよび負極端子１０８ｂはそれぞれ、カメラ本体コネクタ６０６の正極接片６０７ａおよび負極接片６０７ｂに当接する。正極接片６０７ａおよび負極接片６０７ｂは、電池室６０２への突出量が認証接片６０７ｃおよび温度検出接片６０７ｄの突出量に比べて大きいため、認証接片６０７ｃおよび温度検出接片６０７ｄよりも先に対応する端子に当接する。この状態から電池ユニット１００を電池排出バネ６０３、正極接片６０７ａ、負極接片６０７ｂのバネ力に抗してさらに挿入する。
【００３４】
次に、図９（ｃ）に示した位置で、電池ユニット１００の認証端子１０８ｃおよび温度検出端子１０８ｄはそれぞれ、カメラ本体コネクタ６０６の通信端子切片である認証接片６０７ｃおよび温度検出接片６０７ｄに当接する。この状態から電池ユニット１００を電池排出バネ６０３、正極接片６０７ａ、負極接片６０７ｂ、認証接片６０７ｃ、温度検出接片６０７ｄのバネ力に抗してさらに挿入する。
【００３５】
次に、図９（ｄ）に示した位置で、電池ロックレバー６０４の係止部６０４ａが電池ユニット１００の電池ケース１０１の下面１０１ｅを押さえることで、電池ユニット１００がカメラ本体２００に保持される。
【００３６】
電池ユニット１００の端子群１０８とカメラ本体コネクタ６０６の端子接片群６０７が当接し始めた状態から、電池ユニット１００がカメラ本体２００に装着される状態まで、電池ユニット１００の移動に伴って、端子接片群６０７が変形する。このとき、端子接片群６０７の当接位置は、図１（ｃ）に示すように、Ｚ方向へ移動する。区間Ａは、電池ユニット１００の正極端子１０８ａおよび負極端子１０８ｂと、カメラ本体コネクタ６０６の正極接片６０７ａおよび負極接片６０７ｂの当接位置の移動区間である。区間Ｂは、電池ユニット１００の認証端子１０８ｃおよび温度検出端子１０８ｄと、カメラ本体コネクタ６０６の認証接片６０７ｃおよび温度検出接片６０７ｄの当接位置の移動区間である。区間Ａ，Ｂの一端である端子群１０８と端子接片群６０７の当接開始位置は、Ｚ方向位置がほぼ同位置である。また、区間Ａは、区間Ｂよりも長い。区間Ａ，Ｂにおいては、端子接片群６０７によるクリーニング作用が働いており、電気的接続の信頼性が向上している。
【００３７】
最後に、電池蓋２１９を操作して電池室６０２を閉口する。
【００３８】
電池ユニット１００がカメラ本体２００に装着された状態において、カメラ本体２００に落下の衝撃が加わると、電池ユニット１００の端子群１０８がカメラ本体コネクタ６０６の端子接片群６０７から離れる方向へ瞬間的に動いてしまう。その場合、端子群１０８が端子接片群６０７のストロークを瞬間的に超えることで、電気的な切断（瞬断）が発生することがある。本実施例では、端子接片群６０７のうち、瞬断に関係する正極接片６０７ａおよび負極接片６０７ｂの電池室６０２への突出量を大きくし、ストロークを長くしている。また、正極接片６０７ａが当接する正極端子１０８ａおよび負極接片６０７ｂが当接する負極端子１０８ｂの端子長さを端子群１０８の他の通信端子の端子長さに比べて長くしている。そうすることで、瞬断の発生を低減し、電気的接続の信頼性を高めている。
【００３９】
電池ユニット１００をカメラ本体２００から取り外す際には、電池蓋２１９を操作して電池室６０２を開口させ、電池ユニット１００の下面１０１ｅに位置する電池ロックレバー６０４の係止部６０４ａを操作して保持を解除する。そうすると、電池排出バネ６０３および端子接片群６０７のバネ力により、電池ユニット１００は電池室６０２から排出される。そして、電池蓋２１９を操作して電池室６０２を閉口する。
【００４０】
以上、本発明の好ましい実施形態について説明したが、本発明はこれらの実施形態に限定されず、その要旨の範囲内で種々の変形及び変更が可能である。
【符号の説明】
【００４１】
１００    電池ユニット
１０５    電池セル
１０６    回路基板
１０８ａ  正極端子
１０８ｂ  負極端子
１０８ｃ  認証端子（通信端子）
１０８ｄ  温度検出端子（通信端子）
２００    カメラ本体
６０２    電池室
【図１】
0006562620.tif 000002
【図２】
0006562620.tif 000003
【図３】
0006562620.tif 000004
【図４】
0006562620.tif 000005
【図５】
0006562620.tif 000006
【図６】
0006562620.tif 000007
【図７】
0006562620.tif 000008
【図８】
0006562620.tif 000009
【図９】
0006562620.tif 000010